(57)【要約】      （修正有）【課題】鋼管杭への加工が不要で、柱と鋼管杭の位置決めが容易で、再使用できる柱と鋼管杭の位置決め装置及びこれを用いた柱と鋼管杭の位置決め方法を提供する。【解決手段】１は位置決め装置で、地中に建て込まれた鋼管杭１００の上部外周に着脱可能に固定された固定バンド１０と、この固定バンド１０に載置された水平枠２０と、水平枠２０の４か所に配設されて水平枠２０を固定バンド１０に固定する水平枠固定装置３０と、水平枠２０上に載置されて仮止めされる位置決め枠５０とを備えた。【選択図】図１
2008031650.tif 000002
【特許請求の範囲】
【請求項１】
地中に建て込まれた鋼管杭の上部外周に固定される固定バンドと、
一対の水平縦材、及び該水平縦材の間に該水平縦材の一方の端部側に片寄って接合された水平横材からなり、前記水平縦材に柱を仮固定する固定ボルトがそれぞれ設けられ、前記固定バンド上に載置される水平枠と、
該水平枠を水平方向に位置調整可能で、かつ前記固定バンドに固定する水平枠固定装置と、
一対の位置決め横材、及び該位置決め横材の間に該位置決め横材の一方の端部側に片寄って接合された位置決め縦材からなり、前記位置決め横材に柱を仮固定する固定ボルトがそれぞれ設けられて前記水平枠上に前記水平縦材と位置決め横材が交差して載置され、前記位置決め横材の前記水平縦材と交わる位置に鉛直方向の位置を調整する調整ボルトが設けられた位置決め枠とを備えたことを特徴とする柱と鋼管杭の位置決め装置。
【請求項２】
地中に建て込まれた鋼管杭の上部外周に固定される固定バンドと、
前記鋼管杭の外径より長い一対の水平縦材、及び該水平縦材の間に該水平縦材の少なくとも一方の端部側に片寄って接合された水平横材からなり、前記固定バンド上に載置される水平枠と、
該水平枠を水平方向に位置調整可能で、かつ前記固定バンドに固定する水平枠固定装置と、
一対の位置決め横材、及び該位置決め横材の間に該位置決め横材の少なくとも一方の端部側に片寄って接合された位置決め縦材からなり、前記水平枠上に前記水平縦材と位置決め枠材が交差して載置される位置決め枠と、
前記水平縦材と位置決め横材の長手方向の中間部に設けられたねじ穴に螺入されて柱を仮固定する固定ボルトと、
前記位置決め横材の水平縦材と交わる位置に設けたねじ穴に螺入され、該位置決め枠の鉛直方向の位置を調整する調整ボルトとを備えたことを特徴とする柱と鋼管杭の位置決め装置。
【請求項３】
前記固定バンドを、鋼板をリング状に形成し２以上に分割して各自由端に固定腕を設けると共に、外方に突出する係止片を設けて構成したことを特徴とする請求項１又は２記載の柱と鋼管杭の位置決め装置。
【請求項４】
前記水平枠を、形鋼からなる一方の水平縦材に前記位置決め横材の一端がそれぞれ遊嵌される保持部を設けると共に、形鋼からなる他方の水平縦材に前記保持部に対応して保持板を設け、該両保持板の下部に対向して固定ピンが挿通される貫通穴を有する固定板を設けて構成したことを特徴とする請求項１〜３のいずれか一項に記載の柱と鋼管杭の位置決め装置。
【請求項５】
前記水平枠固定装置を、前記両水平縦材の両端部近傍にそれぞれ摺動自在に配置されて固定される可動部と、該可動部に回動自在に装着されて固定される固定部と、該固定部に設けた挿通穴に挿通され先端部が前記固定バンドに設けた係止片に係止する可動ピンと、該可動ピンを前記固定部に固定する可動ピン固定部とによって構成したことを特徴とする請求項２〜４のいずれか一項に記載の柱と鋼管杭の位置決め装置。
【請求項６】
前記位置決め枠を、形鋼からなる位置決め横材の位置決め縦材が接合される端部側と他端部側に調整ボルトが螺入されるねじ穴を設けると共に、前記位置決め横材の位置決め縦材が接合される端部側に固定ピンが挿通される貫通穴を設けて構成したことを特徴とする請求項１〜５のいずれか一項に記載の柱と鋼管杭の位置決め装置。
【請求項７】
上部に空所を有し地中に建て込まれた鋼管杭の上部に、固定バンド、水平枠、水平枠固定装置及び位置決め枠からなる位置決め装置を据付ける工程と、
前記位置決め枠の鉛直方向の位置を調整する工程と、
前記位置決め装置の中空部から前記鋼管杭の空所に柱の下部を挿入し、前記位置決め装置に係止させて仮固定する工程と、
前記鋼管杭と柱の間にコンクリートを充填する工程と、
該コンクリートが固化したのち前記位置決め装置を取外す工程とを有することを特徴とする柱と鋼管杭の位置決め方法。
【請求項８】
上部に空所を有し地中に建て込まれた鋼管杭の上部外周に固定バンドを固定する工程と、
前記固定バンド上に水平枠を載置して水平枠固定装置により該水平枠を前記固定バンドに固定する工程と、
前記水平枠上に水平縦材と位置決め横材が交差して位置決め枠を載置し、該位置決め枠に設けた調整ボルトにより鉛直方向の位置を調整する工程と、
前記水平枠と位置決め枠の中空部から前記鋼管杭の空所に柱の下部を挿入して該柱に設けた支持部材を前記位置決め枠に係止させる工程と、
前記水平枠と位置決め枠に設けた固定ボルトにより前記柱を仮固定する工程と、
前記鋼管杭と柱の間にコンクリートを充填する工程と、
前記コンクリートが固化したのち前記位置決め枠、水平枠固定装置、水平枠及び固定バンドを取外す工程とを有することを特徴とする柱と鋼管杭の位置決め方法。
【請求項９】
前記鋼管杭と柱の間にコンクリートを充填する工程の前に、前記水平枠又は位置決め枠により前記柱の水平位置、鉛直位置及び挿入角度のうち少なくとも一つを調整する工程を有することを特徴とする請求項７又は８記載の柱と鋼管杭の位置決め方法。
【発明の詳細な説明】
【技術分野】
【０００１】
本発明は、地中に建て込まれた鋼管杭の上部に、柱の下部を挿入して両者を一体に接合する際の柱と鋼管杭の位置決め装置及びこれを用いた柱と鋼管杭の位置決め方法に関するものである。
【背景技術】
【０００２】
従来の柱と杭の接合構造に、上部構造物の柱と、地中に立設されて内部にコンクリートが充填される杭と、柱が接合される接合部と杭内に挿入されてコンクリートで固定される脚部からなる支柱、及びこの支柱に水平に取付けられた少なくとも２本の梁を有する仕口部材とを備え、杭の上部と仕口部材との間に設置された位置決め手段により、仕口部材の上下方向の位置を規制し、又は仕口部材の少なくとも上下方向若しくは水平方向の位置を調整するようにしたものがある（例えば、特許文献１参照）。
【０００３】
また、ねじ穴を有する受け部と脚部からなり、鋼管杭の外周面に着脱可能に取り付けられる下部支持部材と、下部支持部材の受け部に設けたねじ穴に対応してねじ挿通穴が設けられ、柱の外周に固定されたリング状の上部支持部材と、上部支持部材に設けたねじ挿通穴より小径で、下部支持部材の受け部に設けたねじ穴に螺入された長ボルトとを有し、柱を鋼管杭に挿入すると共に、上部支持部材のねじ挿通穴を長ボルトに嵌合し、柱の上下方向、傾き及び水平方向の位置を調整したのち固定するようにした柱と鋼管杭の位置決め装置がある（例えば、特許文献２参照）。
【０００４】
【特許文献１】特開平９−２６８５６７号公報（第２−３頁、図１−３）
【特許文献２】特開２００３−１９３４８０号公報（第３−４頁、図１−３）
【発明の開示】
【発明が解決しようとする課題】
【０００５】
特許文献１の発明によれば、柱と杭の接合にあたって、仕口部材の位置を規制し、また仕口部材の上下方向又は水平方向の位置を調整する位置決め手段を備えたので、仕口部材の位置決めが容易で接合部の位置を高精度に調整することができるが、位置決め手段はそのままの状態で埋設されてしまうので、再使用することができないという問題があった。
【０００６】
特許文献２の位置決め装置は、柱と鋼管杭を高精度で位置決めすることができ、また、施工後は取外して再使用することができるが、構造が複雑で位置決め作業や取外しが面倒である。また、鋼管杭や位置決め装置の下部支持部材、上部支持部材に接合用の多くのねじ穴やねじ挿通穴が設けられているが、例えば、杭の施工誤差が生じた場合、ねじ穴とねじ挿通穴の位置合わせが面倒である。さらに、ねじ穴やねじ挿通穴が断面欠損や腐食などにより性能低下を引き起こすおそれがある。
【０００７】
本発明は、上記の課題を解決するためになされたもので、構造が簡単で鋼管杭に加工することなく、柱と鋼管杭の位置決め作用が容易で、その上施工後は取外して再使用することのできる柱と鋼管杭の位置決め装置及びこれを用いた柱と鋼管杭の位置決め方法を提供することを目的としたものである。
【課題を解決するための手段】
【０００８】
本発明に係る柱と鋼管杭の位置決め装置は、地中に建て込まれた鋼管杭の上部外周に固定される固定バンドと、一対の水平縦材、及び該水平縦材の間に該水平縦材の一方の端部側に片寄って接合された水平横材からなり、前記水平縦材に柱を仮固定する固定ボルトがそれぞれ設けられ、前記固定バンド上に載置される水平枠と、該水平枠を水平方向に位置調整可能で、かつ前記固定バンドに固定する水平枠固定装置と、一対の位置決め横材、及び該位置決め横材の間に該位置決め横材の一方の端部側に片寄って接合された位置決め縦材からなり、前記位置決め横材に柱を仮固定する固定ボルトがそれぞれ設けられて前記水平枠上に前記水平縦材と位置決め横材が交差して載置され、前記位置決め横材の前記水平縦材と交わる位置に鉛直方向の位置を調整する調整ボルトが設けられた位置決め枠とを備えたものである。
【０００９】
また、本発明に係る柱と鋼管杭の位置決め装置は、地中に建て込まれた鋼管杭の上部外周に固定される固定バンドと、前記鋼管杭の外径より長い一対の水平縦材、及び該水平縦材の間に該水平縦材の少なくとも一方の端部側に片寄って接合された水平横材からなり、前記固定バンド上に載置される水平枠と、該水平枠を水平方向に位置調整可能で、かつ前記固定バンドに固定する水平枠固定装置と、一対の位置決め横材、及び該位置決め横材の間に該位置決め横材の少なくとも一方の端部側に片寄って接合された位置決め縦材からなり、前記水平枠上に前記水平縦材と位置決め横材が交差して載置される位置決め枠と、前記水平縦材と位置決め横材の長手方向の中間部に設けられたねじ穴に螺入されて柱を仮固定する固定ボルトと、前記位置決め横材の水平縦材と交わる位置に設けたねじ穴に螺入され、該位置決め枠の鉛直方向の位置を調整する調整ボルトとを備えたものである。
【００１０】
上記の固定バンドを、鋼板をリング状に形成し２以上に分割して各自由端に固定腕を設けると共に、外方に突出する係止片を設けて構成した。
【００１１】
上記の水平枠を、形鋼からなる一方の水平縦材に前記位置決め横材の一端がそれぞれ遊嵌される保持部を設けると共に、形鋼からなる他方の水平縦材に前記保持部に対応して保持板を設け、該両保持板の下部に対向して固定ピンが挿通される貫通穴を有する固定板を設けて構成した。
【００１２】
上記の水平枠固定装置を、前記両水平縦材の両端部近傍にそれぞれ摺動自在に配置されて固定される可動部と、該可動部に回動自在に装着されて固定される固定部と、該固定部に設けた挿通穴に挿通され先端部が前記固定バンドに設けた係止片に係止する可動ピンと、該可動ピンを前記固定部に固定する可動ピン固定部とによって構成した。
【００１３】
上記の位置決め枠を、形鋼からなる位置決め横材の位置決め縦材が接合される端部側と他端部側に調整ボルトが螺入されるねじ穴を設けると共に、前記縦枠位置決め横材の位置決め縦材が接合される端部側に固定ピンが挿通される貫通穴を設けて構成した。
【００１４】
本発明係る柱と鋼管の位置決め方法は、上部に空所を有し地中に建て込まれた鋼管杭の上部に、固定バンド、水平枠、水平枠固定装置及び位置決め枠からなる位置決め装置を据付ける工程と、
前記位置決め枠の鉛直方向の位置を調整する工程と、前記位置決め装置の中空部から前記鋼管杭の空所に柱の下部を挿入し、前記位置決め装置に係止させて仮固定する工程と、前記鋼管杭と柱の間にコンクリートを充填する工程と、該コンクリートが固化したのち前記位置決め装置を取外す工程とを有するものである。
【００１５】
また、本発明に係る柱と鋼管杭の位置決め方法は、上部に空所を有し地中に建て込まれた鋼管杭の上部外周に固定バンドを取付ける工程と、前記固定バンド上に水平枠を載置して水平枠固定装置により該水平枠を前記固定バンドに固定する工程と、前記水平枠上に水平縦材と位置決め横材が交差して位置決め枠を載置し、該位置決め枠に設けた調整ボルトにより鉛直方向の位置を調整する工程と、前記水平枠と位置決め枠の中空部から前記鋼管杭の空所に柱の下部を挿入して該柱に設けた支持部材を前記位置決め枠に係止させる工程と、前記水平枠と位置決め枠に設けた固定ボルトにより前記柱を仮固定する工程と、前記鋼管杭と柱の間にコンクリートを充填する工程と、前記コンクリートが固化したのち前記位置決め枠、水平枠固定装置、水平枠及び固定バンドを取外す工程とを有することを特徴とする柱と鋼管杭の位置決め方法。
【００１６】
上記の鋼管杭と柱の間にコンクリートを充填する工程の前に、前記水平枠又は位置決め枠により前記柱の水平位置、鉛直位置及び挿入角度のうち少なくとも一つを調整する工程を設けた。
【発明の効果】
【００１７】
本発明に係る柱と鋼管杭の位置決め装置は、鋼管杭の上部外周に固定された固定バンドの上に、ほぼＨ形状の水平枠を載置して固定し、その上にこれと交差してほぼＨ形状の位置決め枠を上下に移動可能に載置するだけなので、構成部材が少なく構造がきわめて簡単で、短時間に据付け、取外しを行うことができる。また、本発明の位置決め装置により、柱の水平位置、鉛直位置、挿入角度のうち少なくとも一つを調整するようにしたので、位置決め作業がきわめて簡単である。
【００１８】
また、本発明に係る柱と鋼管杭の位置決め方法は、上記の効果を得られるが、さらに、鋼管杭の高止まりや低止まり、あるいは芯ぶれ等の施工誤差があった場合でも容易に対応することができ、施工後は取外して再使用できるので、経済的にも有利である。また、鋼管杭にはねじ穴等の加工を一切行わないため、加工部の断面欠損や腐食等により性能低下を引き起こすおそれがなく、施工後に障害を及ぼすこともない。
【発明を実施するための最良の形態】
【００１９】
図１は本発明の一実施の形態に係る柱と鋼管杭の位置決め装置を鋼管杭の杭頭部に据付けた状態を示す平面図、図２は図１の一部縦断面図である。
両図において、１は位置決め装置で、地中に建て込まれた鋼管杭１００の上部外周に着脱可能に固定された固定バンド１０と、この固定バンド１０上に載置された水平枠２０と、水平枠２０の４か所に配設されて水平枠２０を固定バンド１０に固定する水平枠固定装置３０と、水平枠２０上に載置されて仮止めされる位置決め枠５０とからなっている。
【００２０】
１１０は上下方向のほぼ中間部の両側に対応して支持部材１１１が設けられ、その下部が鋼管杭１００の上部に形成された空所１０２内に挿入されて鋼管杭１００と接合され、上端部が上部構造物のフーチング部を介して柱に接合される杭頭接合鋼管で、本発明に係る柱と鋼管杭の位置決め装置１は、この杭頭接合鋼管１１０の位置決めも含まれるので、以下の説明では、杭頭接合鋼管１１０には柱を含むものとし、柱と記すこともある。なお、図には杭頭接合鋼管１１０（柱）に丸形鋼管を用いた場合を示してあるが、断面四角形の角形鋼管を用いてもよい。
【００２１】
固定バンド１０は、図３に示すように、例えば、帯状の鋼板をリング状に折曲げて２分割又は３分割以上に分割し、その自由端をそれぞれ外方に折曲げて固定腕１１を形成したもので、各固定腕１１には複数のボルト挿通穴１２が設けられている。１３は貫通穴１４を有し、各固定腕１１の近傍において外方に突設されたそれぞれ１個又は複数対の係止片である。なお、この固定バンド１０は、固定腕１１を当接して形成されるリング状の内径が、これを装着する鋼管杭１００の外径とほぼ等しいか、又はこれより若干小径になるように形成されている。
【００２２】
水平枠２０は、図４に示すように、例えば溝形鋼の如き形鋼からなる２本の水平縦材２１ａ，２１ｂを所定の間隔（この間隔は鋼管杭１００の内径より狭く、柱１１０の外径又は幅より広い）で配置し、その一方の端部側に片寄って、例えば溝形鋼の如き形鋼からなる水平横材２２を接合してほぼＨ形状に構成したものである。この場合、水平縦枠２１ａ，２１ｂは、固定バンド１０及び後述の水平枠固定装置３０を介して鋼管杭１００に固定するための調整機能を保持するために、鋼管杭１００の外径より長くすることが望ましい。また、水平横材２２は、柱１１０を水平枠２０の中空部に挿入することができる長さ、つまり、鋼管杭１００の内径より短く、柱１１０の外径又は幅より長くすることが必要である。なお、水平縦材２１ａ，２１ｂの他方の側にも、水平横材２２と対向して水平横材を設けてもよい。
【００２３】
２３ａは一方の水平縦材２１ａの上フランジに水平横材２２に近接して、水平横材２２より内側に、その開口部を他方の水平縦材２１ｂ側に向けて設けられたコ字状の保持部で、水平縦材２１ａの他方の側にも保持部２３ａに対応して保持部２３ｂが設けられている。なお、保持部２３ａ，２３ｂは後述の位置決め枠５の位置決め横材５１ａ，５１ｂの端部が上下に移動可能に遊嵌しうる大きさに形成されており、また、保持部２３ａ，２３ｂの間隔は、水平横材２２の長さとほぼ等しくなっている。
【００２４】
２４ａ，２４ｂは他方の水平縦材２１ｂの上フランジに、保持部２３ａ，２３ｂに対応して設けられた保持板で、その下部には、貫通穴２６を有する固定板２５ａ，２５ｂが、保持板２４ａ，２４ｂと直交し内側に対向して設けられている。
２７ａ，２７ｂは両保持部２３ａ，２３ｂ及び両保持板２４ａ，２４ｂの中間部において、水平縦材２１ａ，２１ｂのウエブに設けたねじ穴２８に螺入された固定ボルトである。
【００２５】
水平枠固定装置３０は、図５に示すように、水平枠２０の水平縦材２１ａ，２１ｂの両端部側においてその上フランジに摺動自在に嵌合するコ字状の摺動枠３２と、その下面に一体に設けられた固定板３３とからなり、それぞれねじ穴３４ａ，３４ｂが設けられた可動部３１と、上下のフランジにねじ穴３６ａ，３６ｂ（３６ｂは図６参照）を有し、ウエブに後述の可動ピン４１の挿通穴３７が設けられ、下フランジの上面にねじ穴３６ｂと連通するねじ穴４０（図６参照）を有し、可動ピン４１の挿通穴３９が設けられた可動ピン固定部３８が設けられて、上フランジが可動部３１の固定板３３に回動自在に取付けられ、かつ固定される固定部３５と、先端部に下方に折曲げられた係止部４２を有し、固定部３５の挿通穴３７，３９に挿通される可動ピン４１からなっている。
【００２６】
上記のような各部からなる水平枠固定部３０は、図６に示すように、先ず、可動部３１の摺動枠３２を水平枠２０の水平縦材２１ａ，２１ｂの上フランジに嵌合し、ねじ穴３４ａにねじ４３を螺入して仮止めする。
次に、固定部３５の挿通穴３７，３９に挿通された可動ピン４１の係止部４２を、鋼管杭１００の杭頭部に装着した固定バンド１０の係止片１３の貫通穴１４に挿入して係止する。ついで、固定部３５の上フランジを可動部３１の板材３３の下面に当接し、両者のねじ穴３４ｂ，３６ａにねじ４３を螺入して、仮止めする。
【００２７】
この状態で可動部３１の摺動枠３２を水平縦材２１ａ，２１ｂに沿って所定の位置（例えば、水平縦材２１ａ，２１ｂの端部側）に移動し、ねじ４３を締めて固定する。このとき、固定部３５は、固定板３３に仮止めしたねじ４３を中心に回動する。ついで、ねじ４３を締め付けて可動部３１の固定板３３に固定部３５を固定し、最後に、固定部３５の下フランジと可動ピン固定部３８のねじ穴３６ｂと４０にねじ４３を螺入して締付け、可動ピン４１を固定する。
上記の組付け手段はその一例を示すもので、現場の状況等により適宜変更することができる。
【００２８】
位置決め枠５０は図７に示すように、溝形鋼の如き形鋼からなる位置決め横材５１ａ，５１ｂと、その一方の側に片寄って両位置決め横材５１ａ，５１ｂの間に接合された溝形鋼の如き形鋼からなる位置決め縦材５２とにより、ほぼＨ形状に形成されている。この場合、位置決め横材５１ａ，５１ｂは、水平縦材２１ａ，２１ｂに当接させて鉛直方向の位置を調整する後述の調整ボルト５８を設けるために、水平横材２２より長くすることが望ましい。また、両位置決め横材５１ａ，５１ｂの間隔、つまり位置決め縦材５２の長さは、水平枠２０の水平縦材２１ａに設けた保持部２３ａ，２３ｂの間隔に対応し、鋼管杭１００の内径より短く、柱１１０の外径又は幅より長くする。なお、位置決め縦材５２の反対側にもこれと対向して位置決め縦材を設けてもよい。
【００２９】
また、位置決め横材５１ａ，５１ｂの上下のフランジの位置決め縦材５２の端部側（図の左側）には、ねじ穴５３ａ，５３ｂが設けられており、また、他方の端部側の上下のフランジには、同様にねじ穴５３ｃ，５３ｄが設けられている。５４ａ，５４ｂはねじ穴５３ａと５３ｃ、５３ｂと５３ｄの中間部において、位置決め横材５１ａ，５１ｂのウエブに設けたねじ穴５５に螺入された固定ねじ、５６ａ，５６ｂはねじ穴５３ａ，５３ｂの側において上下のフランジに設けた固定ピン５７の挿通穴で、固定ピン５７の外径より若干大径に形成されている。５８はねじ穴５３ａ〜５３ｄに螺入される調整ボルトである。
【００３０】
次に、上記のように構成した位置決め装置１の鋼管杭１００への据付手順の一例について、図１〜図３を参照して説明する。
先ず、杭頭部を地表上に突出させて地中に建て込まれた鋼管杭１００の上部の両側に、２分割された固定バンド１０を当接し、その固定腕１１のねじ挿通穴１２に挿通したボルト１５とナットにより一体に固定する。このとき、固定バンド１０の上縁部は、杭頭部の上縁部とほぼ同一平面上に位置することが望ましい。
【００３１】
次に、例えば、２本の紐を直交させてその交点を求めるなど、適宜の手段により鋼管杭１００内に挿入する杭頭接合鋼管１１０の芯出しを行い、中心部０を求める。
ついで、固定バンド１０上に水平枠２０を載置する。このとき、両水平縦材２１ａ，２１ｂに設けた固定ボルト２７ａ，２７ｂを中心部０に合わせる。そして、この水平枠２０の水平縦材２１ａ，２１ｂのそれぞれの先端部近傍（４か所）を、水平部材固定装置３０により、前述の要領で固定バンド１０に固定する。
【００３２】
次に、この水平枠２０の上に、これと交差して位置決め枠５０を載置する。載置にあたっては、位置決め横材５１ａ，５１ｂの端部を、水平枠２０の水平縦材２１ａに設けた保持部２３ａ，２３ｂに遊嵌し、他端側を水平縦材２１ｂに設けた保持板２４ａ，２４ｂに当接する。そして、位置決め横材５１ａ，５１ｂに設けたピン挿通穴５６ａ，５６ｂに挿通した固定ピン５７を、水平枠２０の水平縦材２１ｂに設けた固定板２５ａ，２５ｂのピン穴２６に挿通する。これにより、位置決め枠５０は水平枠２０上に上下に移動可能に保持される。
【００３３】
このとき、位置決め枠５０の固定ボルト５４ａ，５４ｂは中心部０と整合するが、若し、固定ボルト５４ａ，５４ｂが中心部０と整合しない場合は、水平枠固定装置３０のねじを緩めて水平枠２０を水平方向に移動させて、固定ボルト５４ａ，５４ｂを中心部０と整合させ、水平枠固定部３０を再び固定バンド１０に固定する。そして、位置決め枠５０の各ねじ穴５３ａ〜５３ｄにそれぞれ調整ボルト５８を螺入し、その先端部を水平枠２０の水平縦材２１ａ，２１ｂの上フランジに当接させる。
【００３４】
これにより、鋼管杭１００の上部には、水平枠２０と位置決め枠５０が井桁状に組込まれ、両者によって杭頭接合鋼管１１０が挿入される四角形状の領域Ａ（中空部）が形成される。
上記のようにして鋼管杭１００上に据付けられた位置決め装置１は、位置決め枠５０に設けた調整ボルト５８を調整することにより、位置決め枠５０の鉛直方向（高さ）の位置を設定することができる。
【００３５】
本発明に係る柱と鋼管杭の位置決め装置は、上記のように、鋼管杭１００の上部外周に装着された固定バンド１０の上に、ほぼＨ形状の水平枠２０を載置して固定し、この水平枠２０の上にこれと交差してほぼＨ形状の位置決め枠５０を上下に移動可能に載置するだけなので、構成部材が少なく構造がきわめて簡単で、短時間に据付け、取外しを行うことができる。
【００３６】
また、水平枠２０はその端部側の４か所に位置する水平枠固定装置３０により水平方向の位置が調整されて固定バンド１０に固定され、位置決め枠５０は水平枠２０と交わる位置に設けた調整ボルト５８により鉛直方向の位置が調整されるので、位置決め作業がきわめて簡単である。なお、水平枠２０の位置を調整し固定バンド１０に固定する水平枠固定装置３０は、図示の構造に限定するものではなく、前記の機能を有するものえあれば、他の構造のものでもよい。
【００３７】
次に、上記のように構成した位置決め装置により、柱（図には、杭頭接合鋼管１１０の場合が示してある）と鋼管杭１００との位置決め手順の一例について説明する。
図８は上部に空所１０２を有する鋼管杭１００の上部に位置決め装置１を据付けた状態を示す平面図、図９はその縦断面図で、位置決め装置１の高さ及び水平度は、前述の要領で調整済みであり、各固定ボルト２７ａ，２７ｂ、５４ａ，５４ｂは後退させてある（領域Ａから引込ませる）。
【００３８】
図示の鋼管杭１００は、内部に挿入される杭頭接合鋼管１１０（柱）の下端部より若干下方までコンクリート、モルタル等１０１（以下、コンクリート等という）が充填され、その上部に空所１０２を設けた場合を示してあるが、これに限定するものではなく、例えば、コンクリート等に代えて、鋼管杭１００を埋設する際に発生した土砂、又は土砂にセメントを混合して攪拌した改良埋戻し土（以下、両者を合わせて掘削土という）などを充填したものでもよく、あるいは、一旦杭頭部までコンクリート等又は掘削土が充填された鋼管杭の上部のコンクリート等又は掘削土を除去して内部をケレンするなど、各種の鋼管杭を対象とする。
【００３９】
次に、図１０，図１１に示すように、外周の上下方向の所定の位置に対向して支持部材１１１が取付けられた杭頭接合鋼管１１０を、例えば、クレーン等で吊上げて、位置決め装置１の水平枠２０と位置決め枠５０とによって形成された四角形の領域Ａ（中空部）から鋼管杭１００の空所１０２に、その中心を領域Ａの中心と整合させるようにして下降させる。
杭頭接合鋼管１１０が下降すると、その外周に設けた支持部材１１１が位置決め枠５０上に当接（係止）し、下降が停止する。このとき、鋼管杭１００内に充填されたコンクリート等１０１の上面と、杭頭接合鋼管１１０の下端面との間には、すき間が形成される。
【００４０】
ついで、各固定ボルト２７ａ，２７ｂ及び５４ａ，５４ｂを螺入し（前進させ）、四方から杭頭接合鋼管１１０に当接して芯合わせを行うと共に、その位置に仮固定する（図１，図２参照）。これにより、杭頭接合鋼管１１０は下部が鋼管杭１００内に挿入されて、所定の位置に鉛直に保持される。なお、この状態で、若し杭頭接合鋼管１１０が鉛直でなく、あるいは高さが所定の位置でない場合は、位置決め枠５０の調整ボルト５８を調整することにより、所定の状態に修正することができる。
【００４１】
次に、図１２に示すように、鋼管杭１００と杭頭接合鋼管１１０の間にコンクリート１０３を充填する。
そして、コンクリート１０３が固化したのち、固定ボルト２７ａ，２７ｂ、５４ａ，５４ｂ及び調整ボルト５８を緩め、固定ピン５７を引き抜いて、位置決め枠５０を図１０の左方に引き出し、ついで、各水平部材固定装置３０の摺動部３２のねじ４３を緩めて水平枠２０から外し、水平枠２０を図１０の下方に引出す。最後に固定バンド１０の固定腕１１のボルト１５とナットを外して、水平枠固定装置３０と共に鋼管杭１００の両側から外せば、位置決め装置１を鋼管杭１００から取外すことができる。このときの状態を図１３に示す。
【００４２】
このように、位置決め装置１の位置決め枠５０及び水平枠２０は、一端が開口されたほぼＨ形状に形成され、これらの組付けにボルトを使用せず、また、固定バンド１０を分割状態にしたので、鋼管杭１００及びこれに接合した杭頭接合鋼管（柱）１１０からの取外しがきわめて容易である。なお、上記の手順はその一例を示すもので、前場の状況等によって適宜変更することができる。
【００４３】
以上のように、本発明に係る柱と鋼管杭の位置決め方法によれば、鋼管杭１００の上部外周に固定バンド１０を装着し、その上に水平枠２０及び位置決め枠５０を積重ねるようにしたので、鋼管杭１００の高止まりや低止まり、あるいは芯ぶれ等の施工誤差が生じた場合でも容易に対応することができる。
また、鋼管杭１００にはねじ穴等の加工を一切行わないため、加工部の断面欠損や腐食等により性能低下を引き起こすおそれがなく、施工後に障害を及ぼすこともない。
【００４４】
さらに、鋼管杭１００の上部空所１０２に柱を挿入してコンクリート１０３を充填する際には、四方から固定ボルト２７ａ，２７ｂ、５４ａ，５４ｂで仮固定するようにしたので、柱がぶれることがない。また、コンクリート１０３が固化したときは前述のように位置決め装置１を簡単に取外すことができ、さらにこの取外した位置決め装置１を再使用できるので、経済的にも有利である。
【図面の簡単な説明】
【００４５】
【図１】本発明の一実施の形態に係る柱と鋼管杭の位置決め装置を鋼管杭の杭頭部に据付けた状態を示す平面図である。
【図２】図１の一部縦断面図である。
【図３】図１の固定バンドの斜視図である。
【図４】図１の水平枠の斜視図である。
【図５】図１の水平枠固定装置の分解斜視図である。
【図６】図５の組立状態を示す断面図である。
【図７】図１の位置決め枠の斜視図である。
【図８】本発明に係る柱と鋼管杭の位置決め方法の施工手順を示す説明図である。
【図９】本発明に係る柱と鋼管杭の位置決め方法の施工手順を示す説明図である。
【図１０】本発明に係る柱と鋼管杭の位置決め方法の施工手順を示す説明図である。
【図１１】本発明に係る柱と鋼管杭の位置決め方法の施工手順を示す説明図である。
【図１２】本発明に係る柱と鋼管杭の位置決め方法の施工手順を示す説明図である。
【図１３】本発明に係る柱と鋼管杭の位置決め方法の施工手順を示す説明図である。
【符号の説明】
【００４６】
１  位置決め装置、１０  固定バンド、１１  固定腕、１３  係止片、２０  水平枠、２１ａ，２１ｂ  水平縦材、２２  水平横材、２３ａ，２３ｂ  保持部、２４ａ，２４ｂ  保持片、２５ａ，２５ｂ  係止片、２７ａ，２７ｂ  固定ボルト、３０  水平枠固定装置、３１  可動部、３５  固定部、３８  可動ピン固定部、４１  可動ピン、５０  位置決め枠、５１ａ，５１ｂ  位置決め横材、５２  位置決め縦材、５４ａ，５４ｂ  固定ボルト、５７  固定ピン、５８  調整ボルト、１００  鋼管杭、１０２  空所、１０３  コンクリート、１１０  杭頭接合鋼管（柱）、１１１  支持部材。
【図１】
2008031650.tif 000003
【図２】
2008031650.tif 000004
【図３】
2008031650.tif 000005
【図４】
2008031650.tif 000006
【図５】
2008031650.tif 000007
【図６】
2008031650.tif 000008
【図７】
2008031650.tif 000009
【図８】
2008031650.tif 000010
【図９】
2008031650.tif 000011
【図１０】
2008031650.tif 000012
【図１１】
2008031650.tif 000013
【図１２】
2008031650.tif 000014
【図１３】
2008031650.tif 000015